(57)【要約】  本願は、情報画像表示方法及び装置を提供する。該情報画像表示方法は、指紋モジュールを有するユーザ機器に適用される。該方法は、指紋モジュールにより検出された指紋情報検出結果を取得するステップと、指紋情報を検出した状態で、所定の情報画像をユーザ機器画面に表示するために、情報画像が位置するアプリの情報画像表示機能インターフェースを起動するステップとを含む。本開示の技術的解決策によると、指紋情報は、情報画像を表示するトリガ条件として用いられる。指紋情報が検出された後、情報画像が位置するアプリの情報画像表示機能インターフェースは、ユーザ機器の指紋モジュールの呼び出しに応じて自動的に起動し、情報画像を表示する。したがって、デバイスの稼働やロック解除など、複雑な操作ステップを踏む必要がなく、情報画像を迅速に表示することができる。
2019504566.tif 000002
【特許請求の範囲】
【請求項１】
指紋モジュールを有するユーザ機器に適用される情報画像表示方法であって：
前記指紋モジュールにより検出された指紋情報検出結果を取得するステップと；
前記指紋情報を検出した状態で、所定の情報画像をユーザ機器画面に表示するために、前記情報画像が位置するアプリの情報画像表示機能インターフェースを起動するステップと；を備える、
情報画像表示方法。
【請求項２】
前記指紋モジュールにより検出された指紋情報検出結果を取得する前記ステップは：
前記ユーザ機器が未使用モードである場合に、前記指紋モジュールにより検出された前記指紋情報検出結果を取得するステップであって、前記未使用モードは、ロックモード、スリープモード、及び／又は待機モードを含む、前記取得するステップを備える、
請求項１に記載の情報画像表示方法。
【請求項３】
前記ユーザ機器が未使用モードである場合に、前記指紋モジュールにより検出された前記指紋情報検出結果を取得する前記ステップは：
前記ユーザ機器が前記スリープモードから復帰して前記ロックモードになった後、前記指紋モジュールにより検出された前記指紋情報検出結果を取得するステップを備える、
請求項２に記載の情報画像表示方法。
【請求項４】
前記指紋情報が検出された後、検出された前記指紋情報が、前記情報画像の表示に用いられる、予め記憶された指紋認証情報と一致するか否かを更に特定するステップを更に備え、
前記指紋情報を検出した状態とは、前記指紋情報が検出され、前記指紋情報が予め記憶された前記指紋認証情報と一致するという特定結果を得た状態である、
請求項１乃至請求項３のいずれか１項に記載の情報画像表示方法。
【請求項５】
前記情報画像の表示に用いられる前記指紋認証情報は、前記ユーザ機器のロック解除に用いられる指紋認証情報とは異なっており、
前記ユーザ機器がロックモードである場合に前記指紋情報を検出するステップと；
検出した前記指紋情報が前記ユーザ機器のロック解除に用いられる予め記憶された指紋認証情報と一致すると特定された場合に前記ユーザ機器をロック解除するステップと；を更に備える、
請求項４に記載の情報画像表示方法。
【請求項６】
所定のキーが押下されたか否かを特定するステップを更に備え、
前記指紋情報を検出した状態とは、前記指紋情報が検出され、前記所定のキーが押下された状態である、
請求項１乃至請求項３のいずれか１項に記載の情報画像表示方法。
【請求項７】
前記情報画像が表示された後、表示持続時間が所定の持続時間閾値を超える場合、前記情報画像の表示を停止するステップを更に備える、
請求項１乃至請求項３のいずれか１項に記載の情報画像表示方法。
【請求項８】
指紋モジュールを有するユーザ機器に適用される情報画像表示装置であって：
前記指紋モジュールにより検出された指紋情報検出結果を取得する検出制御モジュールと；
前記指紋情報を検出した状態で、所定の情報画像をユーザ機器画面に表示するために、前記情報画像が位置するアプリの情報画像表示機能インターフェースを起動する表示制御モジュールと；を備える、
情報画像表示装置。
【請求項９】
前記検出制御モジュールは、前記ユーザ機器が未使用モードである場合に、前記指紋モジュールにより検出された前記指紋情報検出結果を取得するものであり、前記未使用モードは、ロックモード、スリープモード、及び／又は待機モードを含む、
請求項８に記載の情報画像表示装置。
【請求項１０】
前記検出制御モジュールは、前記ユーザ機器が前記スリープモードから復帰して前記ロックモードになった後、前記指紋モジュールにより検出された前記指紋情報検出結果を取得する、
請求項９に記載の情報画像表示装置。
【請求項１１】
前記検出制御モジュールは、前記指紋情報が検出された後、検出された前記指紋情報が、前記情報画像の表示に用いられる、予め記憶された指紋認証情報と一致するか否かを更に特定し、
前記指紋情報を検出した状態とは、前記指紋情報が検出され、前記指紋情報が予め記憶された前記指紋認証情報と一致するという特定結果を得た状態である、
請求項８乃至請求項１０のいずれか１項に記載の情報画像表示装置。
【請求項１２】
前記情報画像の表示に用いられる前記指紋認証情報は、前記ユーザ機器のロック解除に用いられる指紋認証情報とは異なっており、
前記ユーザ機器がロックモードである場合に前記指紋情報を検出し、検出した前記指紋情報が前記ユーザ機器のロック解除に用いられる予め記憶された指紋認証情報と一致すると特定された場合に前記ユーザ機器をロック解除するロック解除制御モジュールを更に備える、
請求項１１に記載の情報画像表示装置。
【請求項１３】
前記検出制御モジュールは、前記ユーザ機器が前記未使用モードである場合に、所定のキーが押下されたか否かを更に特定し、
前記指紋情報を検出した状態とは、前記指紋情報が検出され、前記所定のキーが押下された状態である、
請求項８乃至請求項１０のいずれか１項に記載の情報画像表示装置。
【請求項１４】
前記情報画像が表示された後、表示持続時間が所定の持続時間閾値を超える場合、前記情報画像の表示を停止する復元制御モジュールを更に備える、
請求項８乃至請求項１０のいずれか１項に記載の情報画像表示装置。
【請求項１５】
指紋モジュールを有するユーザ機器に適用されるバーコード決済方法であって：
前記指紋モジュールにより検出された指紋情報検出結果を取得するステップと；
前記指紋情報を検出した状態で、決済バーコード画像をユーザ機器画面に表示するために、決済アプリの決済バーコード表示インターフェースを起動するステップと；を備える、
バーコード決済方法。
【請求項１６】
前記指紋モジュールにより検出された指紋情報検出結果を取得する前記ステップは、前記ユーザ機器が未使用モードである場合に、前記指紋モジュールにより検出された前記指紋情報検出結果を取得するステップを備え、
前記未使用モードは、ロックモード、スリープモード、及び／又は待機モードを備える、
請求項１５に記載のバーコード決済方法。
【請求項１７】
前記ユーザ機器が未使用モードである場合に、前記指紋モジュールにより検出された前記指紋情報検出結果を取得する前記ステップは：前記ユーザ機器が前記スリープモードから復帰して前記ロックモードになった後、前記指紋モジュールにより検出された前記指紋情報検出結果を取得するステップを備える、
請求項１６に記載のバーコード決済方法。
【請求項１８】
前記指紋情報が検出された後、検出された前記指紋情報が、前記バーコード画像の表示に用いられる予め記憶された指紋認証情報と一致するか否かを更に特定するステップを更に備え、
前記指紋情報を検出した状態とは、前記指紋情報が検出され、前記指紋情報が予め記憶された前記指紋認証情報と一致するという特定結果を得た状態である、
請求項１５乃至請求項１７のいずれか１項に記載のバーコード決済方法。
【請求項１９】
前記バーコード画像の表示に用いられる前記指紋認証情報は、前記ユーザ機器のロック解除に用いられる指紋認証情報とは異なっており、
前記ユーザ機器がロックモードである場合に前記指紋情報を検出するステップと；
検出した前記指紋情報が前記ユーザ機器のロック解除に用いられる予め記憶された指紋認証情報と一致すると特定された場合に前記ユーザ機器をロック解除するステップと；を更に備える、
請求項１８に記載のバーコード決済方法。
【請求項２０】
前記バーコード画像が表示された後、表示持続時間が所定の持続時間閾値を超える場合、前記バーコード画像の表示を停止するステップを更に備える、
請求項１５乃至請求項１７のいずれか１項に記載のバーコード決済方法。
【請求項２１】
指紋モジュールを有するユーザ機器に適用されるバーコード決済装置であって：
前記指紋モジュールにより検出された指紋情報検出結果を取得する検出制御モジュールと；
前記指紋情報を検出した状態で、決済バーコード画像をユーザ機器画面に表示するために、決済アプリの決済バーコード表示インターフェースを起動する決済バーコード表示制御モジュールと；を備える、
バーコード決済装置。
【請求項２２】
前記検出制御モジュールは、前記ユーザ機器が未使用モードである場合に、前記指紋モジュールにより検出された前記指紋情報検出結果を取得するものであり、前記未使用モードは、ロックモード、スリープモード、及び／又は待機モードを含む、
請求項２１に記載のバーコード決済装置。
【請求項２３】
前記検出制御モジュールは、前記ユーザ機器が前記スリープモードから復帰して前記ロックモードになった後、前記指紋モジュールにより検出された前記指紋情報検出結果を取得する、
請求項２２に記載のバーコード決済装置。
【請求項２４】
前記検出制御モジュールは、前記指紋情報が検出された後、検出された前記指紋情報が、前記バーコード画像の表示に用いられる、予め記憶された指紋認証情報と一致するか否かを更に特定し、
前記指紋情報を検出した状態とは、前記指紋情報が検出され、前記指紋情報が予め記憶された前記指紋認証情報と一致するという特定結果を得た状態である、
請求項２１乃至請求項２３のいずれか１項に記載のバーコード決済装置。
【請求項２５】
前記バーコード画像の表示に用いられる前記指紋認証情報は、前記ユーザ機器のロック解除に用いられる指紋認証情報とは異なっており、
前記ユーザ機器がロックモードである場合に前記指紋情報を検出し、検出した前記指紋情報が前記ユーザ機器のロック解除に用いられる予め記憶された指紋認証情報と一致すると特定された場合に前記ユーザ機器をロック解除するロック解除制御モジュールを更に備える、
請求項２４に記載のバーコード決済装置。
【請求項２６】
前記バーコード画像が表示された後、表示持続時間が所定の持続時間閾値を超える場合、前記バーコード画像の表示を停止する復元制御モジュールを更に備える、
請求項２１乃至請求項２３のいずれか１項に記載のバーコード決済装置。
【発明の詳細な説明】
【技術分野】
【０００１】
本願は、２０１６年１月６日に提出され「情報画像表示方法及び装置」と題された中国特許出願第２０１６１０００９２７１．２号の優先権を主張し、上記中国特許出願は参照によってその全体が本願に組み込まれる。
【０００２】
本願は情報処理分野に関し、特に、情報画像表示方法及び装置に関する。
【背景技術】
【０００３】
インテリジェント端末技術の発展に伴い、携帯電話や腕時計などのユーザデバイスは、多くの近距離情報交換方法をサポートできるようになった。それに応じて、モバイル決済、アクセス制御、名刺交換など、様々なアプリケーションシナリオを想定することができる。
【０００４】
現在、２次元（２Ｄ）コード高速決済用の携帯電話など、インテリジェント端末をユーザが用いるとき、通常の作動プロセスは、取り出し、稼働、携帯電話のロック解除、検索、決済機能アプリの起動、２Ｄコード機能サブページの検索、２Ｄコード表示作業の実行を含む。実際のアプリケーション（適用）では、２Ｄコード表示作業を完全に実行するためには、いくつかの段階を踏むことになる。よって、ユーザの操作は不便さを増し、ユーザが密接している場所、例えばスーパーや公共交通機関などへの適用にはあまり相応しくない。
【発明の概要】
【０００５】
上述の技術的問題を解決すべく、本開示は情報画像表示方法及び装置を提供する。本開示の解決策は下記のとおりになる。
【０００６】
本願の第１の実施態様によれば、指紋モジュールを有するユーザ機器に適用される情報画像表示方法であって：前記指紋モジュールにより検出された指紋情報検出結果を取得するステップと；前記指紋情報を検出した状態で、所定の情報画像をユーザ機器画面に表示するために、前記情報画像が位置するアプリの情報画像表示機能インターフェースを起動するステップと；を含む情報画像表示方法が提供される。
【０００７】
本願の第２の実施態様によれば、指紋モジュールを有するユーザ機器に適用される情報画像表示装置であって：前記指紋モジュールにより検出された指紋情報検出結果を取得する検出制御モジュールと；前記指紋情報を検出した状態で、所定の情報画像をユーザ機器画面に表示するために、前記情報画像が位置するアプリの情報画像表示機能インターフェースを起動する表示制御モジュールと；を含む情報画像表示装置が提供される。
【０００８】
本願の第３の実施態様によれば、指紋モジュールを有するユーザ機器に適用されるバーコード決済方法であって：前記指紋モジュールにより検出された指紋情報検出結果を取得するステップと；前記指紋情報を検出した状態で、決済バーコード画像をユーザ機器画面に表示するために、決済アプリの決済バーコード表示インターフェースを起動するステップと；を含むバーコード決済方法が提供される。
【０００９】
本願の第４の実施態様によれば、指紋モジュールを有するユーザ機器に適用されるバーコード決済装置であって：前記指紋モジュールにより検出された指紋情報検出結果を取得する検出制御モジュールと；前記指紋情報を検出した状態で、決済バーコード画像をユーザ機器画面に表示するために、決済アプリの決済バーコード表示インターフェースを起動する決済バーコード表示制御モジュールと；を含むバーコード決済装置が提供される。
【００１０】
本願の技術的解決策によると、指紋情報は、情報画像を表示するトリガ条件として用いられる。指紋情報が検出された後、情報画像アプリの情報画像表示機能インターフェースは、ユーザ機器の指紋モジュールの呼び出しに応じて自動的に起動し、情報画像を表示する。したがって、デバイスの稼働やロック解除など、複雑な操作ステップを踏む必要がなく、情報画像を迅速に表示することができる。
【００１１】
上述の一般論、並びに下記の詳細な記述は、単に説明を目的とした例示に過ぎず、本開示を限定するためのものではない。
【図面の簡単な説明】
【００１２】
本願の実施態様、あるいは従来技術により解決策をより明確に説明すべく、実施態様又は従来技術の説明に用いられる添付の図面を下記に簡略に紹介する。下記の説明における図面は、本願の実施態様の一部を示すものに過ぎず、当業者であれば、創造的な努力をせずとも当該図面から他の図面を想定できるはずである。
【００１３】
【図１】図１は、本願に係る情報画像表示方法を説明する第１概略フローチャートである。
【００１４】
【図２】図２は、本願に係る解決策を適用した特定のアプリケーションシナリオの概略図である。
【００１５】
【図３】図３は、本願に係る情報画像表示方法を説明する第２概略フローチャートである。
【００１６】
【図４】図４は、本願に係る情報画像表示装置の第１概略構成図である。
【００１７】
【図５】図５は、本願に係る情報画像表示装置の第２概略構成図である。
【００１８】
【図６】図６は、本願に係る情報画像表示装置の第３概略構成図である。
【００１９】
【図７】図７は、本願に係る装置を構成するデバイスの概略構成図である。
【発明を実施するための形態】
【００２０】
本願における技術的解釈策に関する当業者の理解を深めるため、本願の実施態様に関する添付の図面を参照し、本願の実施態様における技術的解決策を下記に詳細に説明する。下記に記載する実施態様は、本願の実施態様の一部に過ぎない。本願の実施態様に基づいて当業者がなし得る全ての実施態様は、本願の保護範囲に包含される。
【００２１】
本願に係る情報画像表示の解決策は、指紋モジュールを備えるユーザ機器に適用することができる。本明細書における指紋モジュールは、指紋採取、照会作業、認証・認識判定などの一連の機能を含むモジュールの一般用語であって良い。情報画像を表示するためには、ユーザ機器は基本表示機能を更に有していなければならない。ユーザ機器は、携帯電話、タブレットコンピュータ、スマートウォッチなどの複合デバイスでも良く、電子名刺や電子ラベルなどの単機能デバイスであっても良い。ただし、ユーザ機器の種類は、本開示に限定されないものとする。本開示において情報画像は、アプリ中のウェブページなどの機能インターフェースであっても良く、決済インターフェースなどのマンマシンインタラクションインターフェースであっても良い。情報画像は、２Ｄコード（２Ｄバーコードとも言う）、１次元バーコード、可変バーコードを指しても良い。アプリケーションシナリオとしては、決済、アクセス制御、名刺交換などが挙げられる。ただし、アプリケーションシナリオの種類は、本開示の実施に影響を与えない。
【００２２】
図１は、本願に係る情報画像表示方法を説明するフローチャートを示す。該方法は、携帯電話などの移動端末デバイスにより実施することができ、下記のステップを含む。
【００２３】
Ｓ１０１：指紋モジュールにより検出された指紋情報検出結果を取得する。
【００２４】
Ｓ１０２：指紋情報を検出した状態で、情報画像が配置されたアプリの情報画像表示機能インターフェースを起動して情報画像をユーザ機器画面に表示する。
【００２５】
本開示において、指紋情報を用いることで特定のアプリの特定の機能インターフェースを高速にトリガすることができ、特定のアプリの特定の機能インターフェース、例えばデジタルウォレットアプリの「決済コード」機能ページや、名刺アプリの「マイビジネスカード」機能ページを高速に起動させることができる。したがって、携帯電話に電源を入れると、指紋モジュールにより検出された指紋情報検出結果を得ることができる。指紋情報が検出できれば、上述した特定のアプリの特定の機能ページを直接表示し、関連情報画像を表示するので、情報画像の表示作業が簡単になる。
【００２６】
本開示では、指紋情報を検出した後、デバイスは特定のアプリを直接起動する代わりに、該アプリの特定の機能インターフェースを直接起動することもできる。これにより、ユーザが特定の機能インターフェースを開くまでにかかるステップ数を低減し、作業効率を向上させることができる。
【００２７】
本開示では、特定の機能インターフェースが情報画像を表示するときに、予め作成された静止情報画像を取得し、あるいは、情報画像をリアルタイムで取得する。例えば、決済アプリの決済バーコードインターフェースの高速表示シナリオでは、決済バーコードインターフェースを表示する際に、決済バーコードの情報画像は静止画像、又はリアルタイムで生成された動的可変画像となる。実際のアプリケーションでは、特定のアプリを予め起動して、システムバックグラウンドで実行させる。これにより、情報画像を表示する必要があれば即座に該アプリを起動することができる。あるいは、特定のアプリを予め開始しなくとも良い。その場合、デバイスは指紋情報を検出した後に特定のアプリを起動し、システムフォアグラウンド又はシステムバックグラウンドで実行する。これにより、情報画像を高速に表示しながら占有メモリリソースを低減することができる。
【００２８】
実際のアプリケーションでは、指紋情報を検出した後、デバイスは、対応のアプリがシステムバックグラウンドで実行中であるか否かをまずチェックする。実行中であれば、デバイスは直接該アプリに切り替え、情報画像の表示に用いられる特定の機能インターフェースにジャンプする。実行中でなければ、デバイスは該アプリを起動し、システムフォアグラウンド又はシステムバックグラウンドでアプリを実行して、情報画像の表示に用いられる特定の機能インターフェースにジャンプする。
【００２９】
実際のアプリケーションでは、指紋情報と「特定の機能インターフェースを起動する」操作との関連付けを予め確立して、指紋情報を検出した後、ホーム画面の代わりに特定の機能インターフェースに直接ジャンプする。移動端末のシステムで関連設定を行うことができ、これにより指紋情報と、起動した特定の機能インターフェースとの関係を確立する。指紋情報が検出されると、特定の機能インターフェースは高速に起動する。あるいは、システムにインストールしたアプリにおける特定の機能インターフェースの高速起動がサポートされるか否かをアプリで設定することができる。設定がなされれば、指紋情報は特定の機能インターフェースと関連付けられる。例えば、移動端末の決済アプリの設定インターフェースで、ユーザは指紋による２Ｄ決済コードの高速起動に関する細部事項と、特定の指紋を設定する。あるいは、システムのデフォルト設定をそのまま使用し、ユーザにより該デフォルト設定に指紋を関連付ける。本開示では、特定のアプリと特定の機能インターフェースをユーザが予め定めても良く、システムが設定しても良い。特定の指紋はユーザが設定する。
【００３０】
任意の実施態様では、指紋モジュールが指紋情報を検出する際に、指紋モジュールの認証処理機能をユーザ認証機構と共に用いて情報画像の使用におけるセキュリティを向上させることができる。より具体的には、指紋情報を検出した後、指紋情報が所定の指紋と一致するか否かを特定する。指紋情報が所定の指紋と一致すれば、情報画像の高速表示が可能となる。指紋情報と特定の機能インターフェースの起動操作との関係において、特定の指紋情報を、特定の機能インターフェースの高速起動のトリガ条件として設定することができる。デバイスのユーザは、ユーザの指紋情報を一つ以上予め記録しておく必要がある。指紋モジュールは指紋認証情報を生成・記憶する。実際のアプリケーションでは、指紋情報を検出した後、ユーザ機器の指紋モジュールは、検出した指紋情報が予め記憶された指紋認証情報と一致するか否かを更に特定する。指紋情報が予め記憶された指紋認証情報と一致した場合にのみ、情報画像を表示する。指紋情報が予め記憶された指紋認証情報と一致しない（あるいは指紋情報が検出されなかった）場合には、ユーザ機器の画面には情報画像が表示されないことになる。このようなトリガ機構により、ユーザ機器の現在の操作者が認証済みユーザであるかを効率的に確認し、ユーザ機器を未認証ユーザが操作して生じ得る損害を回避できる。本開示において、指紋採取・認証のアルゴリズムは特定のものに限定されない。既存の指紋採取・認証アルゴリズムを用いても良い。
【００３１】
高速決済用の携帯電話バーコード（１次元バーコード、２Ｄバーコードなどを含む）の使用を例として、本開示の詳細を下記に説明する。より具体的には、決済アプリケーションで、本開示に基づき、決済バーコードインターフェースの高速起動をなし得る。
【００３２】
任意の実施態様では、指紋モジュールの検出機能を持続的に有効化状態に維持することができる。指紋モジュールはユーザの指紋情報をリアルタイムで検出し、該指紋情報を断続的に報告する。つまり、ユーザ機器は指紋モジュールにより検出された指紋情報を断続的に取得し、該指紋情報に対応する処理を行う。したがって、ユーザにより指紋情報が入力され次第、携帯電話の画面は決済バーコードの高速表示を行うので、ユーザは指紋を用いていつでもバーコードの表示を高速にトリガさせることができる。つまり携帯電話は、指紋モジュールを用いて指紋情報をリアルタイムで検出し、指紋情報を採取することで、いつでもそれに関連する特定の機能インターフェースを高速に起動させることができる。
【００３３】
任意の実施態様では、指紋モジュールによる指紋情報検出結果は、ユーザ機器が未使用モードである場合に取得することができる。未使用モードとは、ロックモード、スリープモード、待機モードのうち１つ以上を指す。したがって、携帯電話はある特定のモードで指紋情報を採取し、関連アプリの特定の機能インターフェースを高速に開くことができる。
【００３４】
上記の未使用モードのうち、ロックモードは、ユーザのデバイス操作許可に対する制限であり、スリープモードと待機モードは、デバイスのソフトウェアモジュール、又はハードウェアモジュールの動作状態を指すものである。スリープモードと待機モードは、明確な定義に基づいて分類されるものではなく、場合によっては、上記の未使用モードは、１つのデバイスで同時に存在しても良い。例えば、あるデバイスは、一定の待機時間やスリープ時間が経過した後、自動的にロックされ、あるデバイスは、ロックされて一定の時間が経過すると、特定のソフトウェア／ハードウェアモジュールから待機モード又はスリープモードに自動的に切り替える。結論として、上記のモードの共通点は、デバイスがこれらのモードのうちのいずれかモードであると、ユーザによる従来のバーコード表示動作が複雑となることである。本開示を適用すると、ユーザはデバイスの稼働やロック解除などの操作ステップを飛ばしてバーコードを直接表示することができる。更に、指紋検出結果取得機能の有効化時間を短縮し、デバイスの消費電力を低減する。
【００３５】
任意の実施態様として、指紋モジュールは未使用モードでのみ指紋情報を検出するように更に設定し、指紋モジュールによる電力消費を回避することもできる。例えば、携帯電話がロックモード、且つスクリーンオフ状態であるとき、指紋モジュールの検出機能は無効になる。携帯電話は稼働状態に移行したあと、指紋モジュールも指紋検出を開始する。
【００３６】
任意の実施態様において、インテリジェント端末の「初めに稼働させ、続いてロック解除する」という動作シーケンスに基づき、指紋モジュールから検出結果を取得する時点を、「ユーザ機器がスリープモードから復帰しているが、まだロック解除されていない」時点に設定する。これにより、指紋検出結果取得機能の有効化時間を短縮し、デバイスの消費電力を低減する。
【００３７】
一実施態様では、「ユーザ機器がスリープモードから復帰しているが、まだロック解除されていない」ときにのみ指紋モジュールが指紋情報を検出するように更に設定し、指紋モジュールによる電力消費を更に低減する。
【００３８】
言い換えれば、携帯電話は使用されていない時間（例えば、携帯電話がポケットやバッグに入っているとき）では、指紋検出結果取得機能や指紋モジュールの検出機能は、ほぼ作動しないことになる。デバイスが何らかの方法（例えば電源キーや音量キー）により稼働した後、携帯電話は相応の機能を起動するが、それには、指紋検出結果に応じて、下記の事例が含まれる。
【００３９】
（１）ユーザが指紋情報を入力し、決済バーコードインターフェースの高速表示を行う。
【００４０】
（２）ユーザは携帯電話を（暗証番号やジェスチャなどにより）適切にロック解除する。正常にロック解除された後、携帯電話は使用モードに入り、指紋モジュールの検出機能は無効化する。
【００４１】
（３）ユーザが情報を入力せず、誤操作により携帯電話は稼働状態となった可能性がある。ある程度の時間が経過すると、携帯電話は再びスリープモードに入り、指紋モジュールの検出機能は無効化する。
【００４２】
本開示を適用すると、ユーザの基本的な操作習慣を学習することを前提として、指紋モジュールの有効化時間を更に短縮し、デバイスの消費電力を低減する。
【００４３】
本開示では、指紋モジュールの作業モードは限定されない。例えば指紋モジュールは、ユーザ機器に電源が入った後に、常に指紋を検出しても良く、所定の時間内に指紋を検出しても良く、指紋について断続的に報告を入れる方式を採用しても良く、あるいは、携帯電話のプロセッサが能動的に指紋モジュールを起動させても良い。特定の必要に応じて指紋モジュールの特定の作業モードの制御や設定を行っても良い。
【００４４】
一実施態様では、情報画像が表示された後、一定時間が経過するまでデバイスに対するユーザの操作がそれ以上検出されない場合、デバイスは情報画像の表示を停止して情報画像の複製や盗撮などを防止し、情報利用のセキュリティを向上させる。情報画像の表示を停止させる持続時間閾値は、実用上の要求に基づいて設定されるが、例えば３０秒や６０秒となる。情報画像表示の停止における具体的な実施態様は、特定の情報画像表示機能インターフェースの終了、特定のアプリの終了、システム待機画面への復帰、デバイスのロックモードやスリープモードへの復帰を含む。ただし、本開示に限定される訳ではない。
【００４５】
図２は、本願を店での決済に適用する特定の実施シナリオの概略図を示す。携帯電話がスリープモード且つロックモードであり、ユーザが携帯電話の背面にある指紋採取装置に指を載せたとき、指紋モジュールは指紋情報を採取し、該指紋情報に対して認証を行う。認証が成功した後、決済アプリの決済バーコード（１次元バーコードや２Ｄバーコードを含む）画像がトリガされ、携帯電話の画面に表示される。６０秒経過するまでユーザが携帯電話に追加の操作を行わない場合、携帯電話の画面に表示された決済バーコード画像は消える。
【００４６】
一実施態様では、デバイスを指紋情報を用いて更にロック解除する。この場合、「指紋を用いてデバイスをロック解除する」機能と、「指紋を用いて情報画像を高速表示する」機能を、別々に使用することができる。
【００４７】
ユーザは、情報画像表示用の指紋認証情報（「表示指紋」）と、ユーザ機器ロック解除用の指紋認証情報（「ロック解除指紋」）をそれぞれ入力し、「表示指紋」と「特定のアプリの情報画像表示インターフェースの起動」動作との関係、並びに「ロック解除指紋」と「ユーザ機器のロック解除」動作との関係をそれぞれ確立することができる。更に、図３に示されているように、ユーザ機器がロックモードである場合、ユーザが入力した指紋情報を検出した後、指紋モジュールは現在検出した指紋情報と、予め記憶された指紋情報とのマッチング結果に基づいて異なる処理を行う。
【００４８】
Ｓ２０１：ユーザ機器（デバイス）がロックモードである場合、指紋モジュールにより検出された指紋情報検出結果を取得する。
【００４９】
指紋情報が検出されなかった場合、それ以上の動作は行われない。逆に、指紋情報が検出され、検出された指紋情報が「表示指紋」と一致すれば、Ｓ２０２の「ユーザ機器の画面に情報画像を表示するために情報画像アプリの情報画像表示機能インターフェースを起動する」ステップを実行する。
【００５０】
検出された指紋情報が「ロック解除指紋」と一致すれば、Ｓ２０３の「ユーザ機器をロック解除する」ステップを実行する。
【００５１】
続いて、携帯電話決済バーコードを例示として用いる。ユーザは、使用習慣に基づいて、右人差し指の指紋を「ロック解除指紋」として、右中指の指紋を「表示指紋」として入力することができる。実際の適用では、ユーザが携帯電話を取り出して稼働させると、携帯電話の画面にロック解除指示を表示する。この場合に、ユーザが決済バーコードの高速表示を望むとき、ユーザは中指を指紋採取装置に置く。マッチングに成功すると、アプリが起動し、決済バーコードが表示される。ユーザが携帯電話の別の機能を必要とする場合、ユーザは人差し指を指紋採取装置に置く。マッチングに成功すると、携帯電話はデフォルトモードでロック解除される。つまり、ユーザの通常の使用習慣を邪魔することなく、「高速表示」と「指紋を用いたロック解除」の２つの動作を効果的に区別することができる。
【００５２】
一実施態様では、ユーザ機器のロック解除機能と情報画像の高速表示機能の両方の実行に同じ指を用いる。より具体的には、同じ指紋情報を、ユーザ機器をロック解除する指紋と、情報画像の高速表示の行う指紋の両方として用いることができる。更に、指紋採取の時間を設定して、採取した指紋がユーザ機器のロック解除、並びに特定の情報画像の高速表示のうちのいずれに使用されるかを区別する。例えば、指紋モジュールは、ユーザの指紋情報を採取し、指紋センサにユーザの指紋が留まっている時間を記録する。該時間が１秒未満であれば、指紋はユーザ機器をロック解除する指紋として見なされ、デバイスはロック解除される。該時間が１秒を超えると、指紋は特定の情報画像（例えば決済アプリの決済バーコードページ）の高速表示を行う指紋として見なされ、情報画像表示機能インターフェースが迅速に起動する。勿論、他のシナリオによる異なる実施態様について想定することもできる。例えば、指紋を用いてユーザ機器のロック解除や情報画像の高速表示を行うために、指紋センサを感圧センサと一体化して、指紋採取中に得られる圧力を検出し、ユーザ機器のロック解除や情報画像の高速表示のうちのいずれを行うべきかを特定する。
【００５３】
一部の実施態様では、指紋情報の検出と共に他の方法を用いることにより、特定のアプリの特定の情報画像を起動する。例えば、ユーザは情報画像を表示するトリガ条件の暗証番号として１つ以上のキーを予め指定することができる。キーは、携帯電話の物理的なキーやタッチ式仮想キー、タッチスクリーン操作システムインターフェースや特定のアプリケーションインターフェースの仮想キーのうちのいずれであっても良い。ユーザが情報画像の高速表示を必要とする場合、ユーザは指紋情報を入力しながらカスタマイズしたキーを更に押さなければならない。デバイスは、指紋モジュールにより検出された指紋情報検出結果の取得は勿論のこと、所定のキーが押下されているか否かの特定も行う。「指紋情報を検出し」、「所定のキーが押下された」という２つの条件が満たされたときのみ、後続の情報画像表示動作がトリガされる。
【００５４】
携帯電話決済バーコードを続いて例示として用いる。ユーザは、使用習慣に基づいて、所定のキーとして「音量低減」キーを指定することができる。実際のアプリケーションでは、ユーザは携帯電話を取り出し、指（例えば右人差し指）を指紋採取装置に置き、同時に他の指（例えば右親指）で「音量低減」キーを押下してそのまま保持する。携帯電話は、上記の２つの条件が両方とも満たされたことを検出した後、アプリを起動して決済バーコードを表示する。
【００５５】
一部の実施態様では、指紋情報を更に高速表示対象の情報画像のトリガ条件として使用するため、検出した指紋情報を実際に認証する必要がない。つまり、任意の指紋情報を、高速表示対象の情報画像のトリガ条件として用いることができる。例えば、上記の所定のキーを用いて特定のアプリの特定の機能インターフェースを表示するとき、所定のキーも（ユーザにより設定された）ユーザの個人情報であるため、現在検出した指紋情報を指紋認証情報と比較することなく決済バーコードを起動することができ、それによって決済２Ｄコードを使用する際のセキュリティを確保する。更に、指紋マッチングロック解除機構は、影響を受けない。他のシナリオでは、特定のアプリの特定の機能インターフェースは、指紋情報のマッチングや認証を行わず、指紋情報が検出した後に起動する。例えば、携帯電話が作業モードであるとき、携帯電話が指紋情報を検出すると、つまり、ユーザの指紋を指紋センサが感知すると、決済アプリの決済バーコード表示インターフェースが起動される。
【００５６】
上記方法の実施態様に対応して、本開示は情報画像表示装置を更に提供する。図４に示されているように、該装置は、指紋モジュールにより検出された指紋情報検出結果を取得する検出制御モジュール１１０と、指紋情報を検出した状態で、所定の情報画像をユーザ機器画面に表示するために、情報画像が位置するアプリの情報画像表示機能インターフェースを起動する表示制御モジュール１２０とを含む。
【００５７】
本開示の特定の実施態様では、検出制御モジュール１１０は、ユーザ機器が未使用モードである場合に、指紋モジュールにより検出された指紋情報検出結果を取得する。該未使用モードは、ロックモード、スリープモード、及び／又は待機モードを含む。
【００５８】
本開示の特定の実施態様では、検出制御モジュール１１０は、ユーザ機器がスリープモードから復帰したが未だロックモードであるとき、指紋モジュールにより検出された指紋情報検出結果を取得する。
【００５９】
本開示の特定の実施態様では、検出制御モジュール１１０は、指紋情報が検出された後、検出された指紋情報が、情報画像の表示に用いられる、予め記憶された指紋認証情報と一致するか否かを更に特定する。表示制御モジュール１２０により用いられる「指紋情報を検出した状態」とは、指紋情報が検出され、指紋情報が予め記憶された指紋認証情報と一致するという特定結果を得た状態を指す。
【００６０】
本開示の特定の実施態様では、情報画像の表示に用いられる指紋認証情報は、ユーザ機器のロック解除に用いられる指紋認証情報とは異なる。図５に示されているように、本願に係る情報画像表示装置は、ユーザ機器がロックモードである場合に指紋情報を検出し、検出した指紋情報がユーザ機器のロック解除に用いられる予め記憶された指紋認証情報と一致すると特定された場合にユーザ機器をロック解除するロック解除制御モジュール１３０を更に含む。
【００６１】
本開示の特定の実施態様では、検出制御モジュール１１０は、ユーザ機器が未使用モードである場合に、所定のキーが押下されたか否かを更に特定する。表示制御モジュール１２０により用いられる「指紋情報を検出した状態」とは、指紋情報が検出され、所定のキーが押下された状態を指す。
【００６２】
図６に示されているように、本開示の特定の実施態様では、該情報画像表示装置は、情報画像が表示された後、表示持続時間が所定の持続時間閾値を超える場合、情報画像の表示を停止する復元制御モジュール１４０を更に含む。
【００６３】
ロック解除制御モジュール１３０と復元制御モジュール１４０は、独立した機能を有する２つのモジュールであり、両方とも図６に示されているように該装置内に構成されても良く、又は別の方式で該装置内に構成されても良い。したがって、図６に示された構成を、本開示の請求の範囲を限定するものとして見なしてはならない。
【００６４】
本開示は、指紋モジュールを有するユーザ機器に適用されるバーコード決済装置を更に提供する。該装置は、指紋モジュールにより検出された指紋情報検出結果を取得する検出制御モジュールと、指紋情報を検出した状態で、決済バーコード画像をユーザ機器画面に表示するために、決済アプリの決済バーコード表示インターフェースを起動する決済バーコード表示制御モジュールとを含む。
【００６５】
バーコード決済装置は、特定のアプリケーション環境における画像表示装置の実施態様でもある。したがって、バーコード決済装置の具体的な実施原則と構成図については、情報画像表示装置の実施態様に関する説明、及び図４〜図６の説明を参照されたい。本実施態様では、同様の詳細事項に関する記述は省くものとする。
【００６６】
更に、該装置内の各モジュールの機能及び目的の具体的な実施プロセスについては、前述した方法の対応するステップの実施プロセスを参照されたい。同様の詳細事項に関する記述は省くこととする。
【００６７】
本願に係る情報画像表示装置又はバーコード決済装置は、携帯電話、タブレットコンピュータ、スマートウォッチなどのデバイスに適用することができる。図７は、本願に係る前述の装置を構成するデバイスのハードウェア構造の概略構成図である。該デバイスは、プロセッサ１０１０、メモリ１０２０、入出力インターフェース１０３０、通信インターフェース１０４０、バス１０５０を含む。プロセッサ１０１０、メモリ１０２０、入出力インターフェース１０３０、通信インターフェース１０４０は、バス１０５０を介して、該デバイス内で互いに通信を行っている。
【００６８】
プロセッサ１０１０は、汎用ＣＰＵ（Ｃｅｎｔｒａｌ  Ｐｒｏｃｅｓｓｉｎｇ  Ｕｎｉｔ、中央処理演算装置）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、あるいは１つ以上の集積回路により実装しても良く、関連プログラムを実行することで、本開示が提供する技術的解決策を実施するように構成されている。
【００６９】
メモリ１０２０は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、静的記憶装置、動的記憶装置などにより実装することができる。メモリ１０２０は、オペレーティングシステムや別のアプリケーションプログラムを格納する。本開示が提供する技術的解決策をソフトウェアやファームウェアを用いて実装する場合、関連プログラムコードをメモリ１０２０に格納し、プロセッサ１０１０により呼び出して実行する。
【００７０】
入出力インターフェース１０３０は、入出力モジュールと接続して情報の入出力を行うように構成されている。入出力モジュールは、該装置内の構成要素（図示せず）として構成されても良く、対応の機能を提供する外部装置に接続されていても良い。入力装置は、キーボード、マウス、タッチスクリーン、マイクロホン、各種センサなどを含む。出力装置は、ディスプレイ、拡声器、バイブレータ、インジケータなどを含む。
【００７１】
通信インターフェース１０４０は、通信モジュール（図示せず）に接続され、別の装置とは通信を行って相互作用をするように構成されている。通信モジュールは、有線方式（例えば、ＵＳＢやネットワークケーブル）、又は無線方式（例えば、モバイルネットワーク、ＷｉＦｉ、Ｂｌｕｅｔｏｏｔｈ（登録商標））により通信を実施する。
【００７２】
バス１０５０は、デバイスの構成要素（例えば、プロセッサ１０１０、メモリ１０２０、入出力インターフェース１０３０、通信インターフェース１０４０）の間で情報を伝送するチャネルを含む。
【００７３】
特定の実装プロセスにおいて、該デバイスについて、プロセッサ１０１０、メモリ１０２０、入出力インターフェース１０３０、通信インターフェース１０４０、バス１０５０のみを示しているが、該装置は、通常の実行に必要な他の構成要素を更に含んでいても良い。また、当業者であれば、上記の装置は、本開示を実施するために必要な構成要素のみを含んでいても良く、図示された構成要素を全て含む必要はないことを理解するはずである。
【００７４】
当業者は、前述の実施態様に関する説明から、必要な汎用ハードウェアプラットフォームと共にソフトウェアを使用して、本開示を実施できることを明確に理解するはずである。該理解に基づき、本開示の技術的解決策の本質的な部分、あるいは従来技術に寄与する部分は、ソフトウェア製品の形態で実施することができる。ソフトウェア製品は、ＲＯＭ／ＲＡＭ、磁気ディスク、光ディスクなどの記憶媒体に格納し、コンピュータ装置（パーソナルコンピュータ、サーバ、ネットワークデバイスなど）を使用して、本開示の実施態様、又は実施態様の一部で説明した方法を実行することができる。
【００７５】
本開示の実施態様は全て漸進的に記述されている。実施態様における同一又は類似の部分については、互いを参照し、各実施態様は、他の態様との違いに重点を置く。特に、装置の実施態様は基本的に方法の実施態様と類似するので、簡単に説明することとする。関連する部分については、方法の実施態様の説明を部分的に参照されたい。ただし、前述した装置の実施態様は単なる例に過ぎない。別途の構成要素として記載したモジュールは、物理的に分離しても、分離しなくても良い。本開示の実施において、モジュールの機能は、ソフトウェア及び／又はハードウェアの１つ以上により実施することができる。モジュールの一部、あるいは全てについては、実施態様の解決策を実装する実際の必要性に応じて選択することができる。当業者は、創造的な努力をせずとも、本開示の実施形態を理解し、実施することができる。
【００７６】
上記の説明は、本開示の特定の実施態様の１つに過ぎない。当業者は、本開示の原則から逸脱しない限り、該発明に対して改良又は改善を行うことができることに留意されたい。改良及び改善もまた、本開示の保護の範囲に含まれる。
【符号の説明】
【００７７】
１１０  検出制御モジュール
１２０  表示制御モジュール
１３０  ロック解除制御モジュール
１４０  復元制御モジュール
１０１０  プロセッサ
１０２０  メモリ
１０３０  入出力インターフェース
１０４０  通信インターフェース
【図１】
2019504566.tif 000003
【図２】
2019504566.tif 000004
【図３】
2019504566.tif 000005
【図４】
2019504566.tif 000006
【図５】
2019504566.tif 000007
【図６】
2019504566.tif 000008
【図７】
2019504566.tif 000009
【国際調査報告】
2019504566.tif 000010
2019504566.tif 000011
2019504566.tif 000012
2019504566.tif 000013